(57)【要約】【課題】形態安定性が高く、トータルコストを削減する球技練習具を提供する。【解決手段】形態の基礎となる受幕取付け部材１１と、受幕取付け部材１１の背面に設けられる球受幕１２ａ〜１２ｃと、受幕取付け部材１１の背面側で受幕取付け部材１１の上端部に接続され、受幕取付け部材１１と共に下向きに開放する空間を形成する正面幕材１３とを備える。受幕取付け部材１１の正面側で受幕取付け部材１１の上端部に上面幕材１４が、受幕取付け部材１１の正面側で受幕取付け部材１１の側端部に側面幕材１５が接続される。上面幕材１４と側面幕材１５とは接続され、正面幕材１３及び、上面幕材１４と側面幕材１５は上方側から第１吊り材２ａ、第２吊り材２ｂによって引っ張られ、受幕取付け部材１１は、正面幕材１３、上面幕材１４及び側面幕材１５より剛性が高い。【選択図】図３
2009183463.tif 000002
【特許請求の範囲】
【請求項１】
折り畳み自在であり、閉じた空間を形成する球技練習具であって、
形態の基礎となる受幕取付け部材と、
前記受幕取付け部材の背面に設けられる球受幕と、
前記受幕取付け部材の背面側で前記受幕取付け部材の上端部に接続され、前記受幕取付け部材と共に下向きに開放する空間を形成する正面幕材と、
前記受幕取付け部材の正面側で前記受幕取付け部材の上端部に接続される上面幕材と、
前記受幕取付け部材の正面側で前記受幕取付け部材の側端部に接続される側面幕材とを有し、
前記上面幕材と前記側面幕材とは接続され、
前記正面幕材及び、前記上面幕材と前記側面幕材は上方側から吊り材によって引っ張られ、
前記受幕取付け部材は、前記正面幕材、前記上面幕材及び前記側面幕材より剛性が高いことを特徴とする球技練習具。
【請求項２】
前記受幕取付け部材は自立性を有することを特徴とする請求項１に記載の球技練習具。
【請求項３】
前記受幕取付け部材、前記正面幕材及び前記側面幕材の下に配置され、前記正面幕材及び前記側面幕材とそれぞれの下端部と端部で接続される底面幕材を備えることを特徴とする請求項１又は２に記載の球技練習具。
【請求項４】
前記底面幕材上に且つ前記開放する空間内に受部を備え、
前記受部は前記正面幕材、前記上面幕材及び前記側面幕材より質量が大きいことを特徴とする請求項１乃至３の何れかに記載の球技練習具。
【発明の詳細な説明】
【技術分野】
【０００１】
本発明は、特に室内においてゴルフやテニス等の打撃練習及び野球の投球練習等のために使用され、不使用時には折り畳んでかばん等に収納できる、持ち運び可能な球技練習具に関する。
【背景技術】
【０００２】
ゴルフ等の打撃練習や野球の投球練習を室内で行う球技練習具として、不使用時には折り畳んで収納され、使用時に組み立てられる屋内ゴルフ練習具がある（特許文献１参照）。この屋内ゴルフ練習具は、使用状態において、天井側から懸垂する正面幕材と、正面幕材の両側に配置され、天井から懸垂する側面幕材とを備え、正面幕材と側面幕材は、吊り材によって吊り支持され、天井等に掛止される。このように、正面幕材と側面幕材によって、屋内ゴルフ練習具の基本要素が組み立てられる。さらに、両側面幕材の上端部間に上面幕材が配置されて連結され、閉じた空間を形成する（特許文献１参照）。
【０００３】
また、打球受け幕材が両側面幕材に跨り、上端において側面幕材に連結され、その連結部分から懸垂し、底面幕材が両側面幕材の下端部間に配置されて連結している。さらに、底面幕材の、打球受け幕材の下方位置に受け部が形成され、この中には形態保持材が収納されている。形態保持材は、自重により正面幕材と側面幕材に張力を与える質量を有している（特許文献１参照）。
【０００４】
したがって、使用状態において、正面幕材と側面幕材が天井側から吊り材によって張力が与えられ、それらの自重による懸垂及び形態保持材の自重によって床側から張力が与えられることによって、屋内ゴルフ練習具は形態を保持する（特許文献１参照）。
【０００５】
【特許文献１】特許第３８３１７４５号公報（００２４〜００２９、００３４、００４２、図１〜４）
【発明の開示】
【発明が解決しようとする課題】
【０００６】
特許文献１に記載の屋内ゴルフ練習具は、打球の衝突に対して緩衝効果を発揮できるように、各幕材は木綿等の薄手の生地から生成されているので、例えば正面幕材と側面幕材の連結部分には形態を保持できるだけの剛性が無い。また、形態保持材は木材やプラスチック等のブロックであり、組立・解体等の作業性を考慮するとその自重をあまり大きくできない。したがって、正面幕材及び側面幕材の上端部にのみ高い張力を発生させ、鉛直方向に、すなわち幕全体に高い張力を発生させることができず、屋内ゴルフ練習具の全体的な形態安定性はあまり高くない。例えば、誤って側面幕材に打球が接触したときに、打球が跳ね返らずに側面幕材が大きく窪むことがあり得る。
【０００７】
また、打球受け幕材が直接側面幕材に連結されているので、打球受け幕材が打球を受ける際に、側面幕材が揺れることがある。したがって、打球受け幕材が打球を受ける度に、屋内ゴルフ練習具を吊り支持する吊り材に余分な張力が発生するので、吊り材の交換回数が増え、トータルコストが高くなる。
【０００８】
本発明の目的は、形態安定性が高く、トータルコストを削減する球技練習具を提供することである。
【課題を解決するための手段】
【０００９】
請求項１に係る発明は、折り畳み自在であり、閉じた空間を形成する球技練習具であって、形態の基礎となる受幕取付け部材と、受幕取付け部材の背面に設けられる球受幕と、受幕取付け部材の背面側で受幕取付け部材の上端部に接続され、受幕取付け部材と共に下向きに開放する空間を形成する正面幕材と、受幕取付け部材の正面側で受幕取付け部材の上端部に接続される上面幕材と、受幕取付け部材の正面側で受幕取付け部材の側端部に接続される側面幕材とを有し、上面幕材と側面幕材とは接続され、正面幕材及び、上面幕材と側面幕材は上方側から吊り材によって引っ張られ、受幕取付け部材は、正面幕材、上面幕材及び側面幕材より剛性が高いことを特徴とする。「形態の基礎となる」とは、球技練習具、あるいは正面幕材、上面幕材、側面幕材の形態を形付けることである。
【００１０】
上面幕材及び側面幕材は、剛性の高い受幕取付け部材と接続しているので、吊り材の張力と併せて、それぞれ水平方向、鉛直方向に幅全体で拘束される。したがって、上面幕材及び側面幕材内に高い張力が均等に発生し、球技練習具の形態安定性が高くなる。さらに、側面幕材は、受幕取付け部材と反対方向に吊り材を引っ張ると、張力の付与により全体的に剛性が高くなる。したがって、側面幕材は衝突する打球によって外へ向かって大きく窪まなくなるので、周囲にいる人に対して安全である。
【００１１】
また、球受幕は受幕取付け部材に接続されているので、球受幕が球を受ける際に、側面幕材が大きく揺れることはない。したがって、球受け幕材が球を受ける度に、球技練習具を吊り支持する吊り材に余分な張力が発生しないので、吊り材の製品寿命は短くならない。これによって、吊り材の交換回数を少なくでき、トータルコストが削減される。
【００１２】
受幕取付け部材は自立性を有することもある（請求項２）。自立性とは、単独で自立し得る剛性を有することである。したがって、球技練習具に高い張力を発生させることができるので、形態安定性が高くなる。また、打球受幕は打球を受けても、球技練習具は揺れず、吊り材に余分な張力が発生しない。
【００１３】
また、球技練習具は、受幕取付け部材、正面幕材及び側面幕材の下に配置され、正面幕材及び側面幕材とそれぞれの下端部と端部で接続される底面幕材を備えることもある（請求項３）。この場合、底面幕材は自重分、重りとして機能するので、正面幕材及び側面幕材はそれぞれ、水平方向に亘って鉛直方向の張力を発生させることが可能になる。
【００１４】
また、底面幕材の上及び開放する空間内に受部を備え、前記受部は正面幕材、上面幕材及び側面幕材より質量が大きいこともある（請求項４）。この場合、受部は自重分、重りとして機能するので、正面幕材及び側面幕材はそれぞれ、鉛直方向の張力を発生させることが可能となる。
【発明の効果】
【００１５】
本発明は、上記の通り、形態の基礎となる受幕取付け部材と、受幕取付け部材に設けられる球受幕、正面幕材、上面幕材及び側面幕材とを有し、正面幕材及び、上面幕材と側面幕材は上方側から吊り材によって引っ張られ、受幕取付け部材は、正面幕材、上面幕材及び側面幕材より剛性が高いことを特徴とするので、形態安定性が高く、トータルコストを削減する球技練習具を提供することができる。
【発明を実施するための最良の形態】
【００１６】
以下、図面に基づいて本発明の実施の形態を詳細に説明する。
【００１７】
本発明の球技練習具１は、例えば図１乃至図３に示すように、ゴルフのアプローチやパットの練習をするための屋内ゴルフ練習具として使用される。球技練習具１は使用状態において、上方に位置する天井、壁、柱、梁等に設置された掛止材４に掛止されている吊り材２に引っ張られて吊り支持されながら、閉じた空間を形成する。また、球技練習具１の上に、パットを練習するための練習マット３が載置されており、重りとしても機能している。したがって、球技練習具１は使用時において、吊り材２による引っ張り、自重、練習マット３の質量によって張力が与えられている。
【００１８】
球技練習具１は図３に示すように、形態の基礎となる受幕取付け部材１１と、受幕取付け部材１１の背面に設けられる球受幕１２ａ〜１２ｃと、受幕取付け部材１１の背面側上端部に接続される正面幕材１３と、受幕取付け部材１１の正面側上端部に接続される上面幕材１４と、受幕取付け部材１１の正面側側端部に接続される側面幕材１５と、受幕取付け部材１１、正面幕材１３及び側面幕材１５それぞれの下端部に接続される底面幕材１６と、底面幕材１６上に載置されて正面幕材１３及び受幕取付け部材１１と接続される受部１９とを有する。
【００１９】
受幕取付け部材１１は、ウレタン等の容易に変形できる性状及び無荷重状態で形態を保持できる性状を有する材料から、例えば図４に示すように、枠形に形成されている。この枠形は、外側の幅Ｂ１と内側の幅Ｂ２が共に一方向に向かって徐々に小さくなるように成形されている。ここで、受幕取付け部材１１は使用時において、上端又は下端に外側の幅Ｂ１と内側の幅Ｂ２が最小となるように配置されている（図においては下端）。
【００２０】
図１に示すように、受幕取付け部材１１の前面は、その上端部が上面幕材１４と、側端部が側面幕材１５と、下端部が底面幕材１６と、全周に亘って隙間無く接続されて、球技練習具１が略箱状の閉じた空間を形成しているので、打球が外に抜け出ることがない。また、形態を保持できる自立性を有する受幕取付け部材１１の端部より各幕材１４乃至１６が接続されているので、球技練習具１の形態安定性は高い。
【００２１】
また、図３、図４に示すように、受幕取付け部材１１の背面には使用時において、打球を受けるための球受幕１２ａ〜１２ｃが例えば高さ方向に複数枚並設されており（図において３枚）、受幕取付け部材１１と球受幕１２ａ〜１２ｃの外周又は内周は大体一致する。また、球受幕１２ａ〜１２ｃは、例えば布等の薄い生地のような、打球を受ける際に打球に対して抵抗力を作用させる素材で成形されている。したがって、球受幕１２ａ〜１２ｃによる緩衝効果により打球の運動エネルギーが減少させられ、打球の勢いは緩和する。この結果、打球が勢いを保持したまま直接正面幕材１３と接触して、正面幕材１３が背面側に大きく窪む危険性はない。
【００２２】
球受幕１２ａ〜１２ｃは、相対的に上側に配置された方の下端部と相対的に下側に配置された方の上端部とが重なり合い、隣接するもの同士の間に隙間が形成されないように配置される。したがって、打球が球受幕１２ａ〜１２ｃ間を通り抜けて直接正面幕材１３に接触することがない。図面では、球受幕１２ａ〜１２ｃの中では、隣接する打球が分離しても打球が受部１９の中に落下するよう相対的に下側に配置された方を前面側に配置している。しかし、前面側には練習マット３があるため、前面・背面関係を逆に配置されることも可能である。
【００２３】
球受幕１２ａ〜１２ｃは、例えば図５（ａ）〜（ｃ）に示すように、相似形に形成されている。球受幕１２ａ〜１２ｃの一面には、受幕取付け部材１１に接続するための第２接続部材１７ｂが設けられている。また、その反対面には後述するアプローチ袋５と接続するための第２着脱部材６ｂが設けられている。
【００２４】
図３に示すように、受幕取付け部材１１の背面には、球受幕１２ａ〜１２ｃと接続するための第１接続部材１７ａが設けられている。第１接続部材１７ａ、第２接続部材１７ｂは、例えば一組で着脱自在に接続するための面状ファスナー、又はボタンとボタンホール等が望ましい。このように、受幕取付け部材１１と球受幕１２ａ〜１２ｃとを着脱自在にすることによって、高さ調整や球受幕１２ａ〜１２ｃの交換を容易に行うことができる。
【００２５】
図１、図３に示すように、正面幕材１３は、受幕取付け部材１１の背面において全周に亘って下端部以外の端部で例えば縫合によって接続されている。したがって、正面幕材１３と受幕取付け部材１１とによって下向きに開放する空間１８が形成される。正面幕材１３には、図３に示すように、受幕取付け部材１１の上端から一定間隔Ｌ１離れた箇所に第１吊り材２ａが例えば縫い込まれて接続している。
【００２６】
図１、図３に示すように、上面幕材１４は、受幕取付け部材１１の前面において上端部で例えば縫合によって接続されている。また、側面幕材１５が受幕取付け部材１１の前面において両側端部で例えば縫合によって接続している。上面幕材１４は、奥行き方向に側面幕材１５より短く形成されており、上面幕材１４と側面幕材１５は例えば縫合によって接続されている。また、側面幕材１５の上面幕材１４に接続されていない上端部とに第２吊り材２ｂが例えば縫い込まれて接続されている。
【００２７】
上面幕材１４と側面幕材１５は、例えば布等の薄い生地のような、打球を受ける際に打球に対して抵抗力を作用させる素材で成形されている。したがって、上面幕材１４と側面幕材１５による緩衝効果により打球の運動エネルギーが減少させられ、打球の勢いは緩和する。
【００２８】
底面幕材１６は、図１に示すように奥行き方向に側面幕材１５より長く略Ｔ字状に形成されており、図１〜３に示すように受幕取付け部材１１、正面幕材１３、側面幕材１５の下端部と例えば縫合によって接続されている。したがって、底面幕材１６は正面幕材１３及び側面幕材１５に対して重りとして機能する。
【００２９】
図６に示すように、受部１９は、例えばウレタン製の、一面が開口している箱体であり、図３に示すように、開口している面を上にして、底面幕材１６の上に載置される。また、受部１９の前壁１９ａは、受幕取付け部材１１及び正面幕材１３と密着し、球受幕１２ｃの下端部が中で垂れている。ここで、球受幕１２ａ〜１２ｃは、相対的に下に位置する方が前面側に配置されているので、前壁１９ａより背面側、すなわち高さ方向において受部１９の中で垂れた状態になる。したがって、球受幕１２ａ〜１２ｃに当たった打球は受部１９の中に導かれるので、打球の回収が容易になる。
【００３０】
また、球受幕１２ｃの下端部を受部１９の中で垂れやすくするように、前壁１９ａのみを上に突出させて、球受幕１２ｃが受部１９の外部に出るのを防止する。さらに、受部１９は、受幕取付け部材１１及び正面幕材１３と例えば縫合によって接続されているので、正面幕材１３及び側面幕材１５に対して重りとして機能する。
【００３１】
図１乃至図３に示すように、球技練習具１は、第１吊り材２ａによって背面方向上方へ、第２吊り材２ｂによって前面方向上方へ引っ張られて掛止材４で掛止されて吊り支持されることによって、正面幕材１３、上面幕材１４、側面幕材１５に張力が発生する。第１吊り材２ａ及び第２吊り材２ｂは、紐や縄やゴム等の紐状体であり、掛止材４はフック等の各吊り材２ａ、２ｂを掛止させることができるものである。
【００３２】
正面幕材１３には、第１吊り材２ａによる上方への引っ張りと、正面幕材１３及び底面幕材１６、受部１９の自重による下方への引っ張りによって張力が発生する。正面幕材１３は第１吊り材２ａによって拘束されているので、第２吊り材２ｂによる引っ張りは正面幕材１３の幅全体に伝わる。したがって、正面幕材１３内に高い張力が均等に発生する。
【００３３】
また、正面幕材１３が、受幕取付け部材１１から一定距離Ｌ１離れて接続されている第１吊り材２ａによって背面方向へ、受幕取付け部材１１が第２吊り材２ｂによって前面方向へ引っ張られることで、正面幕材１３は縦断面略Ｌ字状に形成される。ここで、一定距離Ｌ１は、球受幕１２ａ〜１２ｃに当たった打球が正面幕材１３と受幕取付け部材１１との間で受部１９内に落ちるように設定される。したがって、正面幕材１３に打球が直接当たり、正面幕材１３が背面側に大きく窪むことはないので、万が一、球技練習具１を使用中に背面側に他の人がいても、その他の人に危害を与える危険性はない。
【００３４】
図１、図３に示すように、上面幕材１４には、第１吊り材２ａによる背面側への引っ張りと、第２吊り材２ｂの前面側への引っ張りによって張力が発生する。ここで、上面幕材１４の背面側端部が受幕取付け部材１１によって拘束されているので、第１吊り材２ａによる引っ張りは上面幕材１４の幅全体に伝わる。したがって、上面幕材１４内に高い張力が均等に発生する。
【００３５】
側面幕材１５には、第２吊り材２ｂによる上方への引っ張りと、受幕取付け部材１１と球受幕１２ａ〜１２ｃ、側面幕材１５及び底面幕材１６、受部１９の自重による下方への引っ張りによって張力が発生する。また、第１吊り材２ａによる背面側への引っ張りと、第２吊り材２ｂの前面側への引っ張りによって張力が発生する。ここで、側面幕材１５の背面側端部が受幕取付け部材１１によって拘束されているので、第１吊り材２ａによる引っ張りは上面幕材１４の幅全体に伝わる。したがって、上面幕材１４内に高い張力が均等に発生する。
【００３６】
図１に示すように、底面幕材１６の上には、平面視略矩形の練習マット３が球技練習具１の奥行き方向と長手方向が一致するように載置されている。図７に示すように、練習マット３は、底面幕材１６上に載置された、例えばウレタン製の基礎マット３１全体を覆うように、例えばゴム製の底面マット３２が底面幕材１６及び基礎マット３１上に載置され、さらに底面マット３２上に例えば人工芝が植設された表層マット３３が載置されて形成されている。
【００３７】
底面幕材１６と底面マット３２は、例えば縫合によって接続され、底面マット３２と表層マット３３は、例えば接着剤等で固定されている。また、練習マット３には、球を入れるためのカップ３４が嵌合するカップ嵌合穴３５が成形されている。
【００３８】
このようにして、練習マット３は底面幕材１６上に載置されるので、正面幕材１３及び側面幕材１５に対して重りとして機能し、正面幕材１３及び側面幕材１５に一層強い張力を発生させることが可能となる。
【００３９】
また、底面マット３２及び表層マット３３は、基礎マット３１に比べて、非常に薄いので、練習マット３の形状は、基礎マット３１の形状に大きく影響される。基礎マット３１がウレタン等の変形可能な材料で形成されていれば、練習マット３の形状を容易に変形させることができるので、練習マット３の形状を必要に応じて自由に調整することができる。さらに、基礎マット３１がウレタン等の緩衝効果を有する材料で形成されていれば、球を打ち損なって表層マット３３を打ってしまったとしても、手に伝わる衝撃は小さいので、手を打撲等の怪我をする危険性も少なく、安全性が高い。
【００４０】
図８に示すように、アプローチの精度を向上させる練習に用いるアプローチ袋５を球受幕１２に設置することも可能である。アプローチ袋５は、球受幕１２ａ、１２ｂの間及び球受幕１２ｂ、１２ｃの間、すなわち前後に連続して並ぶ２枚の球受幕１２ａ〜１２ｃ間に挿入して、球受幕１２ａ〜１２ｃの高さ方向に重なる範囲で取り付けられている。アプローチ袋５は、上下端部が開口して上下方向に貫通しているので、アプローチ袋５の上端部から入り込んだ打球が下端部から抜け出して受部１９の中に導かれる。
【００４１】
図８、９に示すようにアプローチ袋５は、外面の上端部正面側、背面側にそれぞれ第１着脱部材６ａが設けられている。図８に示すように、球受幕１２ａ〜１２ｃには、相対的に上に配置される方の前面側中央部、下に配置される方の背面側上端部にそれぞれ第１着脱部材６ａと共に着脱機能を発揮する第２着脱部材６ｂが設けられている。第１着脱部材６ａ、第２着脱部材６ｂは、例えば面状ファスナーのように一組で着脱機能を発揮できるものであればよい。
【００４２】
また、アプローチ袋５は断面略半円であり、上下端部共に開口している。上端部は、図示されないウレタン製や針金等の略半円形のリングを包括しながらが折り返されて縫合されている。さらに、アプローチ袋５は、例えば布等の薄い生地で形成されており、側面幕材１５に対して重りとして機能する。このように、アプローチ袋５は、側面幕材１５の張力を大きくすることができる。
【００４３】
図１０に示すように、球技練習具１は不使用時において、例えばナイロン製生地の収納用かばん７に折り畳んで収納される。収納用かばん７には、開閉手段８や取っ手９が設けられている。したがって、球技練習具１は収納用かばん７に収納されて全体で約数ｋｇと軽く、コンパクトにまとまるので、持ち運びや保管に便利である。
【００４４】
上記の通り、本発明の球技練習具１を屋内ゴルフ練習具として使用する例示をしたが、これに限るものではなく、屋外でも使用でき、また、野球、テニス等の球技練習具としても利用できる。したがって、例えば野球の投球練習に使用する場合、球受幕１２ａ〜１２ｃ等に接触するのは打球ではなく、投球となる。また、球技練習具１の形状や大きさは図示したものに限るものではなく、設計変更の範囲において、使用する箇所等の諸条件に応じて適宜に設定することができる。
【００４５】
また、上記の通り、正面幕材１３、上面幕材１４、側面幕材１５、底面幕材１６の素材を布等の薄手の生地としたが、これに限るものではなく、ナイロン製の薄手の生地やネット等でもよく、容易に折り畳むことができ、打球と接触した際に打球の運動エネルギーを吸収できればよい。
【００４６】
また、上記の通り、受幕取付け部材１１、球受幕１２ａ〜１２ｃ、受部１９をウレタン製としたがこれに限るものではなく、例えば発泡スチロール等、正面幕材１３等より質量が大きく、且つ形態を維持できる程度に剛性が大きければよい。
【００４７】
また、上記の通り、正面幕材１３と第１吊り材２ａ、上面幕材１４及び側面幕材１５と第２吊り材２ｂは編み込まれて接続されているが、これに限るものではなく、各々に吊り材２ａ、２ｂを接続させたい箇所に連続的に形成させた穴に挿通させながら端から突出させて掛止材４に掛けることもできる。
【００４８】
また、上記の通り、その他の各接続方法については、これらに限るものではなく、縫合を面状ファスナー等の着脱可能な手段に置き換えることが可能であり、また、面状ファスナー等の着脱可能な手段を縫合置き換えることも可能である。
【図面の簡単な説明】
【００４９】
【図１】正面から見た球技練習具の使用状況図を表す。
【図２】背面から見た球技練習具の使用状況図を表す。
【図３】使用時における球技練習具の縦断面図を表す。
【図４】図３に記載のＡ−Ａ断面図を表す。
【図５】図１に記載の球受幕を個別に表す。（ａ）は最も上側に位置する球受幕を表し、（ｂ）は真ん中に位置する球受幕を表し、（ｃ）は最も下側に位置する球受幕を表す。それぞれの左側が背面図、右側がＢ１−Ｂ１端面図、Ｂ２−Ｂ２端面図、Ｂ３−Ｂ３端面図を表す。
【図６】受部の斜視図を表す。
【図７】練習マットの縦断面図を表す。
【図８】アプローチ袋の使用状況図を表す。
【図９】アプローチ袋の斜視図を表す。
【図１０】球技練習具が収納用かばんに収納された状況図を表す。
【符号の説明】
【００５０】
１………球技練習具
２………吊り材
２ａ……第１吊り材
２ｂ……第２吊り材
３………練習マット
４………掛止材
５………アプローチ袋
６ａ……第１着脱部材
６ｂ……第２着脱部材
７………収納用かばん
８………開閉手段
９………取っ手
１１……受幕取付け部材
１２ａ…球受幕
１２ｂ…球受幕
１２ｃ…球受幕
１３……正面幕材
１４……上面幕材
１５……側面幕材
１６……底面幕材
１７ａ…第１接続部材
１７ｂ…第２接続部材
１８……開放する空間
１９……受部
１９ａ…前壁
３１……基礎マット
３２……底面マット
３３……表層マット
３４……カップ
３５……嵌合穴
Ｂ１……外側の幅
Ｂ２……内側の幅
Ｌ１……一定距離
【図１】
2009183463.tif 000003
【図２】
2009183463.tif 000004
【図３】
2009183463.tif 000005
【図４】
2009183463.tif 000006
【図５】
2009183463.tif 000007
【図６】
2009183463.tif 000008
【図７】
2009183463.tif 000009
【図８】
2009183463.tif 000010
【図９】
2009183463.tif 000011
【図１０】
2009183463.tif 000012